(57)【要約】      （修正有）【課題】左右の足のいずれの側にも履くことができ、また、靴を履いても容易に利用できる履物を提供する。【解決手段】対称な一側部材と他側部材とが重なって成る足形状の素材を設け、一側部材と他側部材との前側の合せ部位で前側中心線Ｆを形成し、指先部７では前側中心線Ｆに対して左右対称で輪状の指先挿入部分２０、２１を形成している。【選択図】図２
0003175423.tif 000002
【実用新案登録請求の範囲】
【請求項１】
足挿入部と足首部と踵部と足底部と甲部と指先部とを備える履き物において、対称な一側部材と他側部材とが重なって成る足形状の素材を設け、前記一側部材と前記他側部材との前側の合せ部位で前側中心線を形成し、前記指先部では前記前側中心線に対して左右対称で輪状の指先挿入部分を形成したことを特徴とする履き物。
【請求項２】
前記素材は、柔らかい繊維素材であることを特徴とする請求項１に記載の履き物。
【考案の詳細な説明】
【技術分野】
【０００１】
この考案は、履き物に係り、特に左右の足のいずれ側にも利用できる履き物に関する。 
【背景技術】
【０００２】
履き物としての靴下においては、冬の寒い時期等で、暖かさを重視する場合に、一般的に、大きめで且つゆったりサイズの厚みのある足袋、ルームソックス等が用いられている。
【先行技術文献】
【特許文献】
【０００３】
【特許文献１】実開平４−１３００４号公報
【０００４】
特許文献１に係るルームソックスの製法改良は、二重の素材の間にシートを挟み、それを高周波で接着したものである。 
【考案の概要】
【考案が解決しようとする課題】
【０００５】
ところが、従来、履き物としての足袋にあっては、左右の足でどちら側に履くのか定まっており、このため、障害のある人やお年寄りの方等の利用では、左右の足のいずれ側に履くのか分かりにくかった。
また、履き物としてのルームソックスにあっては、部屋で利用することは良いが、厚みがあるために、そのまま靴を履くことが困難であり、外出用に利用することが不向きであった。
【０００６】
そこで、この考案の目的は、左右の足のいずれの側にも履くことでき、また、靴を履いても容易に利用できる履き物を提供することにある。
【課題を解決するための手段】
【０００７】
この考案は、足挿入部と足首部と踵部と足底部と甲部と指先部とを備える履き物において、対称な一側部材と他側部材とが重なって成る足形状の素材を設け、前記一側部材と前記他側部材との前側の合せ部位で前側中心線を形成し、前記指先部では前記前側中心線に対して左右対称で輪状の指先挿入部分を形成したことを特徴とする。
【考案の効果】
【０００８】
この考案の履き物は、左右の足のいずれの側にも履くことでき、また、靴を履いても容易に利用できる。 
【図面の簡単な説明】
【０００９】
【図１】図１は履き物の斜視図である。（実施例）
【図２】図２は図１のＩＩ−ＩＩ線による指先部の拡大断面図である。（実施例）
【図３】図３は一側部材と他側部材とを重ね合わせた素材の片側の平面図である。（実施例）
【図４】図４は素材の展開図である。（実施例）
【図５】図５は履き物としての足袋のサイズ別の片側の平面図である。（実施例）
【図６】図６は履き物としてのソックスのサイズ別の片側の平面図である。（実施例）
【考案を実施するための形態】
【００１０】
この考案は、左右の足のいずれ側にも履くことでき、また、靴を履いても容易に利用できる目的を、指先部では前側中央線に対して左右対称で輪状の指先挿入部分を形成して実現するものである。
【実施例】
【００１１】
図１〜図６は、この考案の実施例を示すものである。 
図１において、１は人物が足に履くための履き物（靴下等）である。 
この履き物１は、足挿入部２と、足首部３と、踵部４と、足底部５と、甲部６と、指先部７とを備える。 
【００１２】
この履き物１は、図３に示すように、所定の型体に沿って足形状に裁断された素材８によって構成される。この素材８は、柔らかい繊維素材であって、暖かさと適度な伸縮性を有するフリース（ｆｌｅｅｃｅ）（ｐｏｌｙｅｔｈｙｌｅｎｅ  ｔｅｒｅｐｈｔｈａｌａｔｅ：ポリエチレンテレフタラート）によって構成される。
この素材８は、図４に示すように、足に合うように所定の足形状に形成され、足底中心線９に対して対称に形成された一側部材１０と他側部材１１とが重なって成るものである。
【００１３】
素材８においては、先ず、前側の合せ部位としての一側部材１０の一側前縁部１２と他側部材１１の他側前縁部１３とが縫われることによって前側中心線Ｆが形成され、また、後側の合せ部位としての一側部材１０の一側後縁部１４と他側部材１１の他側後縁部１５とが縫われることによって後側中心線Ｒが形成される。
【００１４】
図４に示すように、一側部材１０には、指先部７で、幅Ｗで且つ先端側に長さＬで突出して湾曲する一側内爪先部１６Ａと、この一側内爪先部１６Ａと並列に幅Ｗで且つ先端側に長さＬで突出して湾曲する一側外爪先部１６Ｂとが形成されている。また、同様に、他側部材１１には、指先部７で、幅Ｗで且つ先端側に長さＬで突出して湾曲する他側内爪先部１７Ａと、この他側内爪先部１７Ａと並列に幅Ｗで且つ先端側に長さＬで突出して湾曲する他側外爪先部１７Ｂとが形成されている。
一側内爪先部１６Ａと一側外爪先部１６Ｂとは、互いに重ねられ、その周縁部位の一側縫い部１８で縫われる。また、同様に、他側内爪先部１７Ａと他側外爪先部１７Ｂとは、互いに重ねられ、その周縁部位の他側縫い部１９で縫われる。
【００１５】
これにより、履き物１において、図２に示すように、指先部７では、前側中心線Ｆに対して左右対称に、一側部材１０で輪状の空間の一側指先挿入部分２０と、他側部材１１で輪状の空間の他側指先挿入部分２１とが形成される。一側指先挿入部分２０は、下側になる一側内爪先部１６Ａと上側になる一側外爪先部１６Ｂとにより、高さＨで且つ幅Ｔに形成されている。同様に、他側指先挿入部分２１は、下側になる他側内爪先部１７Ａと上側になる他側外爪先部１７Ｂとにより、高さＨで且つ幅Ｔに形成されている。
また、素材８において、足挿入部２では、周縁部位で所定の長さで折り返した折り返し部２２が折返し縫い部２３で縫われる。 
【００１６】
上記のように、指先部７において、前中心線Ｆに対して左右対称の一側指先挿入部分２０と他側指先挿入部分２１とを形成することにより、左右の足でどちら側にも利用することができ、障害のある人やお年寄りの方等でも容易に利用できる。
また、素材８をフリースとしたことから、厚みが少なくて、靴を履いても違和感がなく、靴を履いて容易に外出することが可能となる。
【００１７】
以下に、履き物１を、指先部７の形状が異なる足袋１Ａ、ソックス１Ｂとして製作する場合について説明する。 
この足袋１Ａ、ソックス１Ｂの製作にあって、素材８を裁断する時に、布目方向によって伸縮性が異なる場合がある。このため、素材８の裁断において、足挿入部２の伸びが多い場合に「まち無し」の方法で、一方、足挿入部２の伸びが少ない場合には「まち有り」の方法がある。この「まち有り」の場合には、縦・横のどちらの方向に裁断してもよい。また、素材８の縦の伸縮性と横の伸縮性とが同じならば、縦・横のどちらの方向に裁断してもよい。
先ず、図５に示すように、足袋１Ａの製作にあっては、「まち無し」の場合に、先ず、素材８の一側部材１０と他側部材１１との前側の合せ部位を縫って前側中心線Ｆを形成し、そして、素材８の一側部材１０と他側部材１１との後側部位を縫って後側中心線Ｒを形成し、さらに、指先部７では、一側内爪先部１６Ａ・一側外爪先部１６Ｂと他側内爪先部１７Ａ・他側外爪先部１７Ｂとが形成される。
また、この足袋１Ａの製作にあっては、「まち有り」の場合には、足挿入部２及び足首部３の後側でまち２４を追加して脇線Ｓで縫い付ける。
この場合、子供、大人、男性、女性等を考慮して、足底部５においてＡ１〜Ａ９、踵部４においてＢ１〜Ｂ３、そして、足首部３の後側においてＣ１〜Ｃ５、又、足首の長さも自由に、サイズを変更して足袋１Ａを製作することが可能である。
【００１８】
次いで、履き物１をソックス１Ｂとして製作する場合について説明する。 
図６に示すように、ソックス１Ｂの製作にあっては、「まち無し」の場合に、先ず、素材８の一側部材１０と他側部材１１との前側の合せ部位を縫って前側中心線Ｆを形成し、そして、素材８の一側部材１０と他側部材１１との後側部位を縫って後側中心線Ｒを形成し、さらに、指先部７では、一側内爪先部１６Ａ・一側外爪先部１６Ｂと他側内爪先部１７Ａ・他側外爪先部１７Ｂとが形成される。
また、このソックス１Ｂの製作にあっては、「まち有り」の場合には、足挿入部２及び足首部３の後側でまち２４を追加して脇線Ｓで縫い付ける。
この場合、子供、大人、男性、女性等を考慮して、足底部５においてＡ１〜Ａ９、踵部４においてＢ１〜Ｂ３、そして、足首部３の後側においてＣ１〜Ｃ５、又、足首の長さも自由に、サイズを変更してソックス１Ｂを製作することが可能である。
【産業上の利用可能性】
【００１９】
この考案に係る履き物を、他の素材で構成することも可能である。 
【符号の説明】
【００２０】
１  履き物 
２  足挿入部 
３  足首部 
４  踵部 
５  足底部 
６  甲部 
７  指先部 
８  素材 
９  足底中心線 
１０  一側部材 
１１  他側部材 
１２  一側前縁部 
１３  他側前縁部 
１４  一側後縁部 
１５  他側後縁部 
１６Ａ  一側内爪先部 
１６Ｂ  一側外爪先部 
１７Ａ  他側内爪先部 
１７Ｂ  他側外爪先部 
１８  一側縫い部 
１９  他側縫い部 
２０  一側指先挿入部分 
２１  他側指先挿入部分 
２２  折り返し部 
２３  折返し縫い部 
２４  まち 
Ｆ  前側中心線 
Ｒ  後側中心線 
Ｓ  脇線 
【図１】
0003175423.tif 000003
【図２】
0003175423.tif 000004
【図３】
0003175423.tif 000005
【図４】
0003175423.tif 000006
【図５】
0003175423.tif 000007
【図６】
0003175423.tif 000008